(57)【要約】【課題】施設や設備に対するオペレータの習熟度を容易に向上でき、さらにはオペレータの習熟度を容易に把握できるようにする。【解決手段】画面表示した監視情報に基づきオペレータにより入力された転記情報を記憶部１４へ格納する際、制御部１５で、その転記情報に関連する問いかけメッセージを出力し、得られたオペレータからの回答を評価して、その評価結果を出力する。また、その評価結果を集計して施設や設備に対するオペレータの習熟度を判定し出力する。【選択図】  図２
2005321678.tif 000002
【特許請求の範囲】
【請求項１】
施設に配置された各設備を管理する際に用いられ、前記各設備から収集した監視情報を記憶部へ格納するとともに、その監視情報を画面表示する制御部を有する施設管理装置であって、
前記制御部は、
オペレータにより入力された、画面表示した前記監視情報の何れかからなる転記情報を前記記憶部へ格納する情報管理手段と、
入力された前記転記情報に関連する問いかけメッセージを出力し、オペレータからの回答を取得する問いかけ手段と、
取得した前記回答を評価し、その評価結果を出力する評価手段とを備えることを特徴とする施設管理装置。
【請求項２】
請求項１に記載の施設管理装置において、
前記評価手段は、当該回答の正否を評価して画面表示することを特徴とする施設管理装置。
【請求項３】
請求項１に記載の施設管理装置において、
前記評価手段は、前記評価結果を集計し、その集計結果に基づき当該オペレータの習熟度を判定し出力することを特徴とする施設管理装置。
【請求項４】
施設に配置された各設備を管理する際に用いられ、前記各設備から収集した監視情報を記憶部へ格納するとともに、その監視情報を画面表示する制御部を有する施設管理装置の施設管理方法であって、
前記制御部により、オペレータにより入力された、画面表示した前記監視情報の何れかからなる転記情報を前記記憶部へ格納する情報管理ステップと、
前記制御部により、入力された前記転記情報に関連する問いかけメッセージを出力し、オペレータからの回答を取得する問いかけステップと、
前記制御部により、取得した前記回答を評価し、その評価結果を出力する評価ステップとを備えることを特徴とする施設管理方法。
【請求項５】
請求項４に記載の施設管理方法において、
前記評価ステップで、当該回答の正否を評価して画面表示することを特徴とする施設管理方法。
【請求項６】
請求項４に記載の施設管理方法において、
前記評価ステップで、前記評価結果を集計し、その集計結果に基づき当該オペレータの習熟度を判定し出力することを特徴とする施設管理方法。
【発明の詳細な説明】
【技術分野】
【０００１】
本発明は、施設管理技術に関し、特に施設管理業務を行うオペレータの作業習熟度を向上させるための技術に関する。
【背景技術】
【０００２】
従来、建物や商業施設などの施設内に配置されている各種設備を管理する施設管理装置では、当該施設の各フロアの躯体図をＣＲＴやＬＣＤなどの表示画面に表示し、その躯体図上に管理対象となる各種設備を表示して、それぞれの設備から収集した運転状況や計測データなどの監視情報を表示することにより、施設管理業務を行うオペレータの作業を支援するものとなっている（例えば、特許文献１など参照）。
【０００３】
このような施設管理装置では、各設備の高機能化に伴い、空調設備、防災設備、防犯設備、照明設備など、多くの種類の設備から施設全体の管理情報を管理しており、様々な機能を備えている。したがって、このような施設管理装置を扱うオペレータは、すべての設備機器の特性や運転状況を把握しておく必要がある。
【０００４】
なお、出願人は、本明細書に記載した先行技術文献情報で特定される先行技術文献以外には、本発明に関連する先行技術文献を出願時までに発見するには至らなかった。
【特許文献１】特開平８−１１０９９２号公報
【発明の開示】
【発明が解決しようとする課題】
【０００５】
しかしながら、このような従来の施設管理装置では、各設備を自動制御しているため、オペレータが実際の設備制御に介在する機会が少ない。したがって、各設備機器の特性や運転状況を把握するのが難しく、施設や設備に対するオペレータの習熟度が向上しないという問題点があった。また、オペレータが施設や設備に対してどれだけ習熟しているか、その習熟度を把握するのが難しいという問題点があった。
本発明はこのような課題を解決するためのものであり、施設や設備に対するオペレータの習熟度を容易に向上でき、さらにはオペレータの習熟度を容易に把握できる施設管理装置および方法を提供することを目的としている。
【課題を解決するための手段】
【０００６】
このような目的を達成するために、本発明にかかる施設管理装置は、施設に配置された各設備を管理する際に用いられ、各設備から収集した監視情報を記憶部へ格納するとともに、その監視情報を画面表示する制御部を有する施設管理装置であって、制御部に、オペレータにより入力された、画面表示した監視情報の何れかからなる転記情報を記憶部へ格納する情報管理手段と、入力された転記情報に関連する問いかけメッセージを出力し、オペレータからの回答を取得する問いかけ手段と、取得した回答を評価し、その評価結果を出力する評価手段とを設けたものである。
【０００７】
この際、評価手段で、当該回答の正否を評価して画面表示するようにしてもよく、あるいは、評価結果を集計し、その集計結果に基づき当該オペレータの習熟度を判定し出力するようにしてもよい。
【０００８】
また、本発明にかかる施設管理方法は、施設に配置された各設備を管理する際に用いられ、各設備から収集した監視情報を記憶部へ格納するとともに、その監視情報を画面表示する制御部を有する施設管理装置の施設管理方法であって、制御部により、オペレータにより入力された、画面表示した監視情報の何れかからなる転記情報を記憶部へ格納する情報管理ステップと、制御部により、入力された転記情報に関連する問いかけメッセージを出力し、オペレータからの回答を取得する問いかけステップと、制御部により、取得した回答を評価し、その評価結果を出力する評価ステップとを備えるものである。
【０００９】
この際、評価ステップで、当該回答の正否を評価して画面表示するようにしてもよく、あるいは、評価結果を集計し、その集計結果に基づき当該オペレータの習熟度を判定し出力するようにしてもよい。
【発明の効果】
【００１０】
本発明によれば、画面表示した監視情報に基づきオペレータにより入力された転記情報を記憶部へ格納する際、制御部から、その転記情報に関連する問いかけメッセージが出力され、得られたオペレータからの回答が評価されて、その評価結果が出力されるため、オペレータがその評価結果を確認して学習することができ、結果として施設や設備に対するオペレータの習熟度を向上させることができる。
また、その評価結果を集計して施設や設備に対するオペレータの習熟度が判定されて出力されるため、オペレータの施設や設備に対する習熟度を容易に把握することができる。
【発明を実施するための最良の形態】
【００１１】
次に、本発明の実施の形態について図面を参照して説明する。
［第１の実施の形態］
まず、図１を参照して、本発明の第１の実施の形態にかかる施設管理装置について説明する。図１は本発明の第１の実施の形態にかかる施設管理装置が適用される施設管理システムの構成を示すブロック図である。
この施設管理システムは、管理対象となる建物や商業施設などの施設を管理するシステムであり、当該施設内に配置されている各種設備の端末器３を制御するコントローラ２と、このコントローラ２で把握している各端末器３の監視情報をＬＡＮ５を介して収集し、その監視情報に基づき施設全体を管理する施設管理装置１とから構成されている。
【００１２】
施設管理装置１は、全体としてコンピュータからなり、管理対象となる各種設備から、その運転状況や計測データなどの監視情報を収集して画面表示することにより、施設管理業務を行うオペレータの作業を支援するものである。
本実施の形態では、各種設備から収集した監視情報をオペレータが確認し作業情報として転記する転記作業において、オペレータに対して転記された作業情報に関連する問いかけを行い、その回答を評価して出力することにより、施設や設備に対するオペレータの習熟度を向上させるようにしたものである。
【００１３】
［施設管理装置の構成］
次に、図２を参照して、本発明の第１の実施の形態にかかる施設管理装置１の構成について詳細に説明する。図２は本発明の第１の実施の形態にかかる施設管理装置１の構成を示すブロック図である。
この施設管理装置１には、画面表示部１１、操作入力部１２、通信インターフェース（以下、通信Ｉ／Ｆ部という）１３、記憶部１４、および制御部１５が設けられている。
【００１４】
画面表示部１１は、ＬＣＤやＣＲＴなどの画面表示装置からなり、制御部１５からの指示に基づき各種情報を画面表示する。
操作入力部１２は、キーボードやマウスなどの操作入力装置からなり、オペレータの操作を検出した制御部１５へ出力する。
通信Ｉ／Ｆ部１３は、通信回線を介して外部の装置とデータ通信を行う回路部であり、例えばＬＡＮ５を介して接続されたコントローラ２とデータ通信を行うことにより、各種設備の運転状況や計測データなどの監視情報を各端末器３から収集する。
【００１５】
記憶部１４は、ハードディスクやメモリなどの記憶装置からなり、制御部１５での処理に用いる各種情報およびプログラム１４Ｐを記憶する。各種情報としては、図面情報１４Ａ、監視情報１４Ｂ、作業情報１４Ｃなどがある。
図面情報１４Ａは、施設の構成を示す躯体図や各端末器３の配置状況を示す情報である。監視情報１４Ｂは、コントローラ２を介して各端末器３から収集した各種設備の運転状況や計測データなどの情報である。作業情報１４Ｃは、各オペレータごとに設けられ、転記作業で入力された転記情報、オペレータへの問いかけに対する回答に関する評価結果、当該オペレータの習熟度などの情報からなる。
【００１６】
制御部１５は、ＣＰＵおよびその周辺回路を有し、記憶部１４からプログラム１４Ｐを読み込んで実行することにより、上記ハードウェアとプログラム１４Ｐとを協働させて、各種機能手段を実現する。
この機能手段としては、情報収集手段１５Ａ、作業管理手段１５Ｂ、問いかけ手段１５Ｃ、および評価手段１５Ｄが設けられている。
【００１７】
情報収集手段１５Ａは、ＬＡＮ５および通信Ｉ／Ｆ部１３を介してコントローラ２から監視情報１４Ｂを収集し、記憶部１４へ格納する機能手段である。
作業管理手段１５Ｂは、操作入力部１２からのオペレータ指示に応じて、記憶部１４から図面情報１４Ａおよび監視情報１４Ｂを読み込んで、監視作業に必要な情報を画面表示部１１の表示画面に表示出力する機能手段である。また、作業管理手段１５Ｂでは、オペレータが各設備の状況を詳細に把握するという目的で行われる転記作業の際、転記情報入力用画面を画面表示部１１の表示画面に表示し、操作入力部１２からオペレータにより入力された転記情報を当該オペレータの作業情報１４Ｃへ登録する。
【００１８】
問いかけ手段１５Ｃは、上記転記作業で入力された転記情報に関連する問いかけメッセージを画面表示部１１の表示画面に表示出力し、これに対して操作入力部１２からオペレータにより入力された回答を取得する機能手段である。
評価手段１５Ｄは、問いかけ手段１５Ｃで得られた回答の正否を評価し、その評価結果を画面表示部１１の表示画面に表示出力し、あるいはその評価結果を集計してオペレータの習熟度を判定し出力する機能手段である。
【００１９】
［施設管理装置の動作］
次に、図３を参照して、本発明の第１の実施の形態にかかる施設管理装置１の動作について詳細に説明する。図３は本発明の第１の実施の形態にかかる施設管理装置１での作業管理処理を示すフローチャートである。
制御部１５は、操作入力部１２からのオペレータ指示に応じて、作業管理手段１５Ｂにより、図３の作業管理処理を開始する。
【００２０】
まず、作業管理手段１５Ｂは、記憶部１４から図面情報１４Ａと監視情報１４Ｂとを読み出し、監視作業に必要な情報を画面表示部１１の表示画面に表示出力する（ステップ１００）。
図４に、監視作業用の画面表示例を示す。この図４では、施設の構成を示す躯体図が表示され、各設備を示すシンボルがそれぞれの設備の配置位置に応じて躯体図上に配置されている。
【００２１】
次に、作業管理手段１５Ｂは、操作入力部１２からのオペレータによる転記作業開始指示に応じて、それまでの認証処理などにより特定された当該オペレータに対応する作業情報１４Ｃを記憶部１４から読み出し（ステップ１０１）、転記情報入力用画面を画面表示部１１の表示画面に表示する（ステップ１０２）。
【００２２】
図５に、転記情報入力用の画面表示例を示す。この図５では、転記すべき項目が表形式で設けられており、オペレータは各項目に対して監視作業用の画面で確認した監視情報を転記情報として操作入力部１２から入力する。
作業管理手段１５Ｂは、各項目に入力された転記情報を取得し（ステップ１０３）。その内容を監視情報に基づきチェックする（ステップ１０４）。そして、間違いがあればその旨を画面表示してオペレータへ訂正を促す。
【００２３】
続いて、問いかけ手段１５Ｃは、転記情報入力用の画面の「メモ」欄に配置されているアイコンへの操作や当日分の全入力項目への記入完了などの所定タイミングで、入力された転記情報に関連する問いかけメッセージを画面表示部１１の表示画面に表示する（ステップ１０５）。この際、問いかけメッセージは、ひな形となるメッセージを複数用意しておき、その何れかを選択出力するようにしてもよく、当該転記情報に合致するようメッセージの一部、例えば項目名（転記情報名）を修正して出力してもよい。また、監視情報１４Ｂを参照して過去の履歴からクレームや不具合が発生した値を確認し、その監視値を問い合わせてもよい。
【００２４】
問いかけ手段１５Ｃは、この問い合わせに応じて、操作入力部１２からのオペレータにより入力された回答を取得する（ステップ１０６）。
図６に、問いかけ用の画面表示例を示す。この図６では、問いかけメッセージが表示される問いかけ領域２１０と、その問いかけに対する回答を入力するための回答領域２１１とが設けられている。図６の例では、問いかけに対する回答として適正な室温の範囲を入力する。また問いかけ内容に関連するコメントを入力する。
【００２５】
次に、評価手段１５Ｄにより、問いかけ手段１５Ｃで得られた回答の正否を評価し、その評価結果を画面表示部１１の表示画面に表示出力する（ステップ１０７）。この際、その回答が正解であればその旨を画面表示し、不正解であればその旨の合わせて正しい回答を画面表示すればよい。また、問いかけメッセージの表示から回答完了までに要した時間も計時し、合わせて正否結果と合わせて画面表示するようにしてもよい。
そして、評価手段１５Ｄは、上記回答に関する正否や回答所要時間などの評価結果を作業情報１４Ｃへ格納する（ステップ１０８）。
【００２６】
制御部１５では、上記のステップ１０３，１０４を各転記情報ごとに繰り返し実行するとともに、ステップ１０５〜１０８を各転記情報ごとあるいはそのうち任意の転記情報について実行し、一連の作業管理処理を終了する。
【００２７】
このように、問いかけ手段１５Ｃにより、オペレータから入力された転記情報に関連する問いかけメッセージを出力してその回答を取得し、評価手段１５Ｄにより、その回答を評価して評価結果を出力するようにしたので、オペレータがその評価結果を確認して学習することができ、結果として施設や設備に対するオペレータの習熟度を向上させることができる。
【００２８】
また、通常の監視作業の１つである転記作業の際に、その転記情報に関連した問いかけを行うようにしたので、通常の監視作業とは別個の学習時間を必要とすることなく、通常業務を行いつつオペレータの習熟度を向上させることができるとともに、転記作業を習熟度向上のために有効活用できる。
また、通常の監視作業の１つである転記作業の際に、その転記情報に関連した問いかけを行うようにしたので、本来の転記作業の目的、すなわちオペレータが各設備の状況を詳細に把握するという目的の重要性をオペレータが再確認できる。
【００２９】
なお、転記情報入力処理の際、各種情報を記入時に時刻情報を取得し、その時刻情報を記入時刻として、作業の履歴を管理する履歴情報へ自動的に保存するようにしてもよい。同じく、問いかけメッセージの入力完了の際、当該入力オペレータを示す担当者情報と入力時刻とを履歴情報へ自動的に保存するようにしてもよい。なお、担当者情報は、作業開始時にオペレータから入力された情報を用いればよい。
また、図５に示すように、転記シートに、オペレータが監視作業で気付いた点を文字情報として記入するための欄として「メモ」欄を設けてもよく、オペレータ間で監視業務の引継に必要な各種情報が記録される引継ノートへ、上記「メモ」欄の内容を保存するようにしてもよい。
【００３０】
［第２の実施の形態］
次に、図７を参照して、本発明の第２の実施の形態にかかる施設管理装置について説明する。図７は、本発明の第２の実施の形態にかかる施設管理装置での評価集計処理を示すフローチャートである。なお、第２の実施の形態にかかる施設管理装置の構成については、前述した第１の実施の形態にかかる施設管理装置（図２参照）と同様であり、ここでの説明は省略する。
【００３１】
制御部１５は、例えば毎日、毎週、毎月などの所定期間ごとに自律的に、あるいは操作入力部１２からの指示操作に応じて、評価手段１５Ｄにより、図７の評価集計処理を実行する。
まず、評価手段１５Ｄは、記憶部１４に格納されている任意のオペレータの作業情報１４Ｃから評価結果を読み出し（ステップ１２０）、その評価結果について各集計項目で集計し、所定期間ごとにその平均値を算出する（ステップ１２１）。
【００３２】
図８は、評価結果の集計結果例である。この図８では、集計項目として、回答数、正解数、正解率、重要問いかけ回答数、重要問いかけ正解数、重要問いかけ正解率、回答平均速度の各項目が設けられている。
このうち、重要問いかけとは、各設備の状況を把握する際のポイントとなる内容に関する問いかけのことであり、一般的な内容に関する問いかけとは別個に集計し、習熟度判定の重要な判断基準として用いる。また回答平均速度は、回答所要時間から算出する。
【００３３】
そして、評価手段１５Ｄは、これら集計結果から当該オペレータの習熟度を判定する（ステップ１２２）。この判定例としては、各集計項目に対する判定基準値を設けて判定すればよい。例えば正解率、重要問いかけ正解率、および回答平均速度に着目し、正解率が９０％以上、重要問いかけ正解率が１００％、回答平均速度が９以上という各判定基準値をすべて満足した場合にのみ合格を示す習熟度ランクＡとし、何れか１つを満足していない場合は合格まであと一歩を示す習熟度ランクＢなどとすればよい。
【００３４】
評価手段１５Ｄは、このようにして判定した習熟度を当該オペレータの作業情報１４Ｃへ履歴として格納し（ステップ１２３）、上記集計結果および習熟度から報告書を作成する（ステップ１２４）。図９に報告書の出力例を示す。
そして、この報告書の電子情報ファイルあるいは電子メールを、通信Ｉ／Ｆ部１３およびＬＡＮ５を介して他の装置へ出力し、あるいは画面表示部１１の表示画面に表示出力して（ステップ１２５）、一連の評価集計処理を終了する。
【００３５】
このように、問い合わせに対する評価結果を集計し、その集計結果に基づき当該オペレータの習熟度を判定して出力するようにしたので、オペレータの施設や設備に対する習熟度を容易に把握することができる。
また、この習熟度を含む報告書を電子メールなどで出力するようにしたので、管理者が各オペレータの習熟度を的確に把握して、業務の割り当て、オペレータの教育および評価に役立てることができる。
【図面の簡単な説明】
【００３６】
【図１】本発明の第１の実施の形態にかかる施設管理装置が適用される施設管理システムの構成を示すブロック図である。
【図２】本発明の第１の実施の形態にかかる施設管理装置１の構成を示すブロック図である。
【図３】本発明の第１の実施の形態にかかる施設管理装置１での作業管理処理を示すフローチャートである。
【図４】監視作業用の画面表示例である。
【図５】転記情報入力用の画面表示例である。
【図６】問いかけ用の画面表示例である。
【図７】本発明の第２の実施の形態にかかる施設管理装置での評価集計処理を示すフローチャートである。
【図８】評価結果の集計結果例である。
【図９】報告書の出力例である。
【符号の説明】
【００３７】
１…施設管理装置、２…コントローラ、３…端末器、５…ＬＡＮ、１１…画面表示部、１２…操作入力部、１３…通信Ｉ／Ｆ部、１４…記憶部、１４Ａ…画面情報、１４Ｂ…監視情報、１４Ｃ…作業情報、１４Ｐ…プログラム、１５…制御部、１５Ａ…情報収集手段、１５Ｂ…作業管理手段、１５Ｃ…問いかけ手段、１５Ｄ…評価手段。
【図１】
2005321678.tif 000003
【図２】
2005321678.tif 000004
【図３】
2005321678.tif 000005
【図４】
2005321678.tif 000006
【図５】
2005321678.tif 000007
【図６】
2005321678.tif 000008
【図７】
2005321678.tif 000009
【図８】
2005321678.tif 000010
【図９】
2005321678.tif 000011